(57)【特許請求の範囲】
【請求項１】
予め設定された複数の評価値のそれぞれに対応する第１の行列係数及び出力特性に関する所定のオフセット値をそれぞれ記憶するマトリクス係数記憶部と、
複数の色成分信号を含む第１の色信号における前記各色成分信号に基づいて、所定の評価値を算出する評価値算出部と、
前記評価値算出部によって算出した前記所定の評価値と該所定の評価値に対応する前記第１の行列係数とに基づいて、第２の行列係数を生成するマトリクス係数補間演算部と、  前記第２の行列係数を前記第１の色信号の各色成分信号に積算し、複数の色成分信号を含む第２の色信号を生成するマトリクス演算部と、
前記マトリクス演算部により生成された前記第２の色信号に対して前記所定のオフセット値を加算するオフセット演算部と、
を備え、
前記マトリクス係数補間演算部は、前記所定の評価値に対応する第１の行列係数が前記マトリクス係数記憶部に存在しない場合に、前記所定の評価値に関連付けられた複数の評価値に対応する複数の第１の行列係数を選択し、前記複数の第１の行列係数に基づいて、前記第２の行列係数を生成する、
色信号処理装置。
【請求項２】
送信装置から出力される色信号に対して逆ガンマ補正を行うことにより前記第１の色信号を生成する逆ガンマ補正部と、
前記所定のオフセット値が加算された第２の色信号に対してガンマ補正を行うガンマ補正部と、
をさらに備える、請求項１記載の色信号処理装置。
【請求項３】
予め設定された複数の評価値のそれぞれに対応する第１の行列係数及び出力特性に関する所定のオフセット値をそれぞれ記憶するマトリクス係数記憶部と、
複数の色成分信号を含む第１の色信号における前記各色成分信号に基づいて、所定の評価値を算出する評価値算出部と、
前記評価値算出部によって算出した前記所定の評価値と該所定の評価値に対応する前記第１の行列係数とに基づいて、第２の行列係数を生成するマトリクス係数補間演算部と、
前記第２の行列係数を前記第１の色信号の各色成分信号に積算し、複数の色成分信号を含む第２の色信号を生成するマトリクス演算部と、
前記積算により生成された前記第２の色信号に対して前記所定のオフセット値を加算するオフセット演算部と、
を備え、
前記評価値算出部は、前記第１の色信号のうち、最も信号レベルの高い色成分信号の信号レベルに基づいて前記評価値を算出する、色信号処理装置。
【請求項４】
前記ガンマ補正が行われた第２の色信号に基づいて画像を出力する出力部をさらに備える、請求項２記載の色信号処理装置。
【請求項５】
前記マトリクス係数補間演算部は、前記第１の行列係数のうちの、前記評価値算出部によって算出した前記所定の評価値に対応する第１の行列係数を前記第２の行列係数として選択する、請求項１記載の色信号処理装置。
【請求項６】
前記マトリクス係数補間演算部は、前記第１の行列係数のうち、前記評価値算出部によって算出した前記所定の評価値に関連付けられる複数の評価値に対応する第１の行列係数に基づいて、前記第２の行列係数を生成する、請求項３記載の色信号処理装置。
【請求項７】
前記マトリクス係数補間演算部は、前記第１の行列係数のうち、前記評価値算出部によって算出した前記所定の評価値に関連付けられる複数の評価値に対応する第１の行列係数を線形補間することによって、前記第２の行列係数を生成する、請求項１又は６記載の色信号処理装置。
【請求項８】
色信号処理装置における色信号の処理方法であって、
複数の評価値のそれぞれに対応する第１の行列係数及び出力特性に関する所定のオフセット値をそれぞれ予めマトリクス係数記憶部に記憶することと、
複数の色成分信号を含む第１の色信号における前記各色成分信号に基づいて所定の評価値を算出することと、
前記算出した所定の評価値と該所定の評価値に対応する前記第１の行列係数とに基づいて、第２の行列係数を生成することと、
前記第２の行列係数を前記第１の色信号に積算し、複数の色成分信号を含む第２の色信号を生成することと、
生成された前記第２の色信号に対して、前記マトリクス係数記憶部に記憶された前記所定のオフセット値を加算することと、を含み、
前記第２の行列係数を生成することは、前記算出した所定の評価値に対応する第１の行列係数が前記マトリクス係数記憶部に存在しない場合に、前記所定の評価値に関連付けられた複数の評価値に対応する複数の第１の行列係数を選択し、前記複数の第１の行列係数に基づいて、前記第２の行列係数を生成することを含む、
色信号処理装置の色信号の処理方法。
【発明の詳細な説明】
【技術分野】
【０００１】
本発明は、色信号処理技術に関し、特に、リニアマトリクス変換による色変換を行う色信号処理装置及び色信号処理方法に関する。
【背景技術】
【０００２】
画像出力装置として、例えば、液晶パネルや有機エレクトロルミネッセンスパネルといった表示パネルを備えたディスプレイ等の画像表示装置や、インクジェット方式やレーザ方式、ＬＥＤ方式のプリンタ等の画像印刷装置が知られている。これらの画像出力装置は、外部から送信されるＮＴＳＣ方式やｓＲＧＢ方式、ＣＭＹＫ方式などの規格又は方式によって定められた色度を有する信号に従って、画像出力装置固有の特性に応じた色度で画像を出力する。このため、画像出力装置は、実際には、外部から送信される信号が有する色度とは異なる色度で画像を表示する。外部から送信される信号が有する本来の色度を再現するために、該信号に対して補正をかけるリニアマトリクス変換という技術が知られている。
【０００３】
例えば、下記特許文献１は、ＲＧＢ信号に対して３×３の行列係数を積算するリニアマトリクス変換を実行する色信号処理装置を開示する。該色信号処理装置は、各近似式の近似係数を格納する近似係数格納部と、入力されたＲＧＢ信号における第１色の値を前記近似係数格納部から読み出される近似係数で与えられる近似式に代入することにより、前記入力されたＲＧＢ信号に応じた３×３の行列係数を算出する行列係数算出部と、前記入力されたＲＧＢ信号に対して前記行列係数算出部で算出された行列係数を積算して、色変換されたＲＧＢ信号を出力する変換部とを有する。なお、前記近似式は、各行列係数の値を近似するためのものであり、ＲＧＢの３原色のうちの第１色の値を変数としている。
【０００４】
また、例えば、下記特許文献２は、５色以上の色成分からなる入力色信号に対して色変換処理を行う色変換装置を開示する。該色変換装置は、マトリクス変換係数を記憶する係数記憶手段と、前記係数記憶手段に記憶されているマトリクス変換係数を読み出してマトリクス演算を行い、前記入力色信号に対する色変換処理を行う演算手段と、を備える。前記演算手段は、前記色成分のうち互いに作用する色成分に関する相互要素を考慮して、マトリクス演算を行う。
【０００５】
また、外部から送信される信号が有する本来の色度を再現するために、３次元ルックアップテーブルを使用して該信号に対してより高精度に補正をかけるという技術が知られている。
【０００６】
例えば、下記特許文献３は、３次元ルックアップテーブルを使用する色変換装置を開示する。該色変換装置は、３次元あるいは４次元以上の色信号の組を受け、異なるビット数配分によって前記色信号を上位信号と下位信号に分割する分割手段と、前記上位信号によって選択される色変換値記憶用のテーブルメモリと、前記下位信号によって選択されるとともに重み係数値を提供する重み係数提供手段と、前記上位信号によって決定される色空間内の単位直方体を分割して得られる複数個の単位４面体のうち前記色信号がどの単位４面体に属するかを選択する単位４面体選択手段と、前記単位４面体の４個の頂点における色変換値及び前記重み係数値に基づいて、色空間に対して３次元あるいは４次元以上の補間を行う演算手段と、を備える。
【先行技術文献】
【特許文献】
【０００７】
【特許文献１】特開２０１１−２２３４６７号公報
【特許文献２】特開２００６−０１３９６８号公報
【特許文献３】特開平４−２１１９１号公報
【発明の概要】
【発明が解決しようとする課題】
【０００８】
画像出力装置は、一般的に、輝度によって再現できる色度の範囲が異なり、輝度毎に異なる色相の歪みを有する。例えば、液晶パネルを有する画像出力装置は、黒色を表示する際に液晶パネルを介して前面に光が漏れる輝度漏れという特性を有しており、これにより、液晶パネルを有する画像出力装置は、低輝度になるほど色相を歪めて画像を表示する。また、例えばＣＭＹＫ方式のプリンタ等の画像出力装置では、期待される明るさよりも明るさを低下させて画像を出力するドットゲインという特性が見られる。したがって、このようなプリンタ等の画像出力装置は、中輝度になるほど色相を歪めて画像を出力する。このような輝度毎に異なる色相の歪みは、画像出力装置の利用者に視覚的に好ましくない結果をもたらすため、画像出力装置にとって輝度毎に異なる色相の歪みをいかに補正するかは重要である。
【０００９】
特許文献１に開示されるような従前の色信号処理装置は、特定色に対して輝度毎に行列係数を変化させることによって、このような色相の歪みを改善させるものの、全ての色の輝度の変化による色相の歪みを補正するものではなかった。
【００１０】
また、特許文献２に開示されるような従前の色変換装置は、５色以上の色成分からなる入力色信号における色相の歪みを高精度に補正するものの、４色以下の色成分からなる入力色信号については色相の歪みを補正することができず、また、輝度の変化による色相の歪みを補正するものではなかった。
【００１１】
また、特許文献３に開示されるような従前の色変換装置は、画像出力装置におけるＲＧＢの色の輝度の変化による色相の歪みを補正するものの、３次元ルックアップテーブルを使用するために大容量のメモリを必要としていた。したがって、かかる従前の色変換装置は、大容量のメモリを搭載することによる消費電力の増大や、大容量のメモリを搭載するためのチップの面積の増大を招いていた。
【００１２】
そこで、本発明は、各色の輝度毎に色相の歪みを補正することができる色信号処理装置を提供することを目的とする。
【００１３】
また、本発明は、小容量のメモリによって、少ないチップ面積、かつ、低消費電力な回路構成で、色相の歪みを補正することができる色信号処理装置を提供することを目的とする。
【課題を解決するための手段】
【００１４】
上記課題を解決するための本発明は、以下の技術的特徴乃至は発明特定事項を含んで構成される。
【００１５】
すなわち、ある観点に従う本発明は、予め設定された複数の評価値のそれぞれに対応する第１の行列係数及び出力特性に関する所定のオフセット値を記憶するマトリクス係数記憶部と、複数の色成分信号を含む第１の色信号における前記各色成分信号に基づいて、所定の評価値を算出する評価値算出部と、前記評価値算出部によって算出した前記所定の評価値と前記第１の行列係数とに基づいて、第２の行列係数を生成するマトリクス係数補間演算部と、前記第２の行列係数を前記第１の色信号の各色成分信号に積算し、複数の色成分信号を含む第２の色信号を生成するマトリクス演算部と、前記第２の色信号に対して前記所定のオフセット値を加算するオフセット演算部と、を備える、色信号処理装置である。
【００１６】
これにより、色信号処理装置は、予め設定された複数の評価値のそれぞれに対応する第１の行列係数と、第１の色信号の各色成分信号に基づいて算出された評価値とに基づいて、第２の行列係数を生成し、該生成した第２の行列係数を第１の色信号の各色成分信号に積算することによって第２の色信号を生成し、第２の信号に対して出力特性に関する所定のオフセット値を加算することによって輝度漏れの特性を相殺するので、複数の評価値のそれぞれに対応する第１の行列係数及び出力特性に関する所定のオフセット値を記憶するための小容量のメモリによって少ないチップ面積、かつ、低消費電力な回路構成で色相の歪みを補正することができる。
【００１７】
また、前記色信号処理装置は、送信装置から出力される色信号に対して逆ガンマ補正を行って前記第１の色信号を生成する逆ガンマ補正部と、前記所定のオフセット値が加算された第２の色信号に対してガンマ補正を行うガンマ補正部と、をさらに備えても良い。
【００１８】
これにより、色信号処理装置は、送信装置から出力される色信号に対して逆ガンマ補正を行い、第２の色信号に対してガンマ補正を行って出力信号を出力するので、色信号にガンマ補正が行われている場合にも色相の歪みの補正に対応することができる。
【００１９】
前記評価値算出部は、前記第１の色信号のうち、最も信号レベルの高い色成分信号の信号レベルに基づいて前記評価値を算出しても良い。
【００２０】
これにより、色信号処理装置は、第１の色信号のうち最も信号レベルの高い色成分信号の信号レベル（すなわち、第１の色信号の輝度）に基づいて評価値を算出するので、輝度毎に色相の歪みを補正することができる。
【００２１】
さらに、前記色信号処理装置は、前記ガンマ補正が行われた第２の色信号に基づいて画像を出力する出力部をさらに備えても良い。
【００２２】
また、前記マトリクス係数補間演算部は、前記第１の行列係数のうちの、前記評価値算出部によって算出した前記所定の評価値に対応する第１の行列係数を前記第２の行列係数として選択しても良い。
【００２３】
したがって、色信号処理装置は、所定の評価値に対応する第１の行列係数を第２の行列係数として選択するので、マトリクス係数補間演算部を単純な構成とすることができる。
【００２４】
また、前記マトリクス係数補間演算部は、前記第１の行列係数のうち、前記評価値算出部によって算出した前記所定の評価値に関連付けられる複数の評価値に対応する第１の行列係数に基づいて、前記第２の行列係数を生成しても良い。
【００２５】
これにより、色信号処理装置は、所定の評価値に関連付けられる複数の評価値に対応する第１の行列係数に基づいて第２の行列係数を生成することによって、マトリクス係数記憶部が記憶する第１の行列係数の数を減らすことができるので、より小容量のメモリによってより少ないチップ面積、かつ、より低消費電力な回路構成で色相の歪みを補正することができる。
【００２６】
さらに、前記マトリクス係数補間演算部は、前記第１の行列係数のうち、前記評価値算出部によって算出した前記所定の評価値に関連付けられる複数の評価値に対応する第１の行列係数を線形補間することによって、前記第２の行列係数を生成しても良い。
【００２７】
これにより、色信号処理装置は、第２の行列係数の生成に線形補間を使用することによって、マトリクス係数補間演算部を単純な構成とすることができる。
【００２８】
さらに、別の観点に従う本発明は、色信号処理装置における色信号の処理方法であって、複数の評価値のそれぞれに対応する第１の行列係数を予めマトリクス係数記憶部に記憶することと、複数の色成分信号を含む第１の色信号における前記各色成分信号に基づいて所定の評価値を算出することと、前記算出した所定の評価値と前記第１の行列係数とに基づいて、第２の行列係数を生成することと、前記第２の行列係数を前記第１の色信号に積算し、複数の色成分信号を含む第２の色信号を生成することと、を含む、色信号処理装置の色信号の処理方法である。
【００２９】
これにより、色信号処理装置は、予め設定された複数の評価値のそれぞれに対応する第１の行列係数と、第１の色信号の各色成分信号に基づいて算出された評価値とに基づいて、第２の行列係数を生成し、該生成した第２の行列係数を第１の色信号の各色成分信号に積算することによって第２の色信号を生成するので、複数の評価値のそれぞれに対応する第１の行列係数を記憶するのみの小容量のメモリによって少ないチップ面積、かつ、低消費電力な回路構成で色相の歪みを補正することができる。
【発明の効果】
【００３０】
本発明によれば、色信号処理装置は、各色の輝度毎に色相の歪みを補正することができるようになる。
【００３１】
また、本発明によれば、色信号処理装置は、小容量のメモリによって、少ないチップ面積、かつ、低消費電力な回路構成で、色相の歪みを補正することができるようになる。
【００３２】
本発明の他の技術的特徴、目的、及び作用効果乃至は利点は、添付した図面を参照して説明される以下の実施形態により明らかにされる。
【図面の簡単な説明】
【００３３】
【図１】本発明の一実施形態に係る画像出力システムの概略構成の一例を示す図である。
【図２】本発明の一実施形態に係る色信号処理装置の構成の一例を示す図である。
【図３】本発明の一実施形態に係る色信号処理装置におけるオフセット演算部の動作の詳細を示す図である。
【図４】本発明の一実施形態に係る色信号処理装置の動作の一例を示すフローチャートである。
【図５】本発明の一実施形態に係る画像出力システムが出力する光の色相を示すｘｙ色度図である。
【発明を実施するための形態】
【００３４】
次に、本発明の実施の形態について、図面を参照しつつ説明する。
【００３５】
図１は、本発明の一実施形態に係る画像出力システムの概略構成の一例を示す図である。同図に示すように、本実施形態に係る画像出力システム１は、例えば、送信装置１０と、画像出力装置２０とを含んで構成される。
【００３６】
送信装置１０は、例えば、パーソナルコンピュータやセットトップボックス、コントロールボード等であり、ＮＴＳＣ方式やｓＲＧＢ方式、ＣＭＹＫ方式等の規格又は方式に従う色信号ＣＯＬＯＲを生成し、該色信号ＣＯＬＯＲを画像出力装置２０に送信する。色信号ＣＯＬＯＲは、例えば、赤色の色成分に関する情報を有する赤色成分信号と、青色の色成分に関する情報を有する青色成分信号と、緑色の色成分に関する情報を有する緑色成分信号との３つの色成分信号の総称であるが、これに限らない。例えば、色信号ＣＯＬＯＲには、シアン色の色成分に関する情報を有するシアン色成分信号、マゼンダ色の色成分に関する情報を有するマゼンダ色成分、黄色の色成分に関する情報を有する黄色成分信号、及び黒色の色成分に関する情報を有するキープレート成分信号といった他の色の色成分に関する情報を含む色成分信号が用いられても良い。以下では、色信号ＣＯＬＯＲは、ＲＧＢ方式の色信号であるものとする。
【００３７】
一般に、色度とは、光における各色の成分の混合比を示す指標であり、色度が大きいほど対応する色の成分が該光に多く含まれていることを示す。また、明度とは、色の明るさを示す指標であり、例えば、ＨＳＶ（Hue-Saturation-Value）色空間においては、各色の信号のうち最も色度の大きい信号の色度のことを示し、ＨＬＳ（Hue-Lightness-Saturation）色空間においては、各色の信号のうち、最も色度の大きい信号の色度と、最も色度の小さい信号の色度との平均値のことを示す。また、輝度とは、ある色において人間が感じる明るさの度合いを示す指標であり、各色の信号の色度に基づいて決定される。具体的には、輝度は、国際電気通信連合（ＩＴＵ：International Telecommunication Union）によって標準化された標準テレビ放送向けの規格であるＩＴＵ−Ｒ  ＢＴ．６０９によれば、以下の数式１に基づいて決定されることが知られている。
【数１】
0006633273.tif 000002
このことからわかるように、輝度は、明度に関係付けられる。
【００３８】
画像出力装置２０は、例えば、ディスプレイやプロジェクタ、プリンタである。画像出力装置２０は、例えば、色信号処理装置２１と、出力部２２とを含んで構成される。
【００３９】
色信号処理装置２１は、送信装置１０から送信される色信号ＣＯＬＯＲに対して、色信号ＣＯＬＯＲが有する色度に関する情報にできるだけ忠実な色が画像出力装置２０によって出力されるように、該画像出力装置２０の特性に合わせて色度の変換を行う。具体的には、色信号処理装置２１は、まず、色信号ＣＯＬＯＲに基づいて該色度信号の評価値ＶＡＬを算出し、該算出した評価値ＶＡＬに基づいて、３×３の行列係数を決定する。色信号処理装置２１はさらに、色信号ＣＯＬＯＲの各信号に対して決定した３×３の行列係数を積算することによって、出力信号ＣＯＬＯＲ’を生成し、該色度の変換を行った出力信号ＣＯＬＯＲ’を出力部２２に出力する。なお、色信号処理装置２１の各構成要素の動作の詳細に関しては、図２を参照して説明される。評価値ＶＡＬは、例えば、ＨＳＶ色空間又はＨＬＳ色空間における明度や輝度であるが、これに限られず、他の指標に基づく値であっても良く、また、色成分信号から得られる値であれば何であっても良い。
【００４０】
出力部２２は、例えば、液晶表示パネルやプラズマディスプレイパネル、有機エレクトロルミネッセンス表示パネル、プリントヘッドであるが、これらに限られない。出力部２２は、色信号処理装置２１によって画像出力装置２０の特性に合わせて色度が変換された出力信号ＣＯＬＯＲ’を受け、該信号に従う画像を出力する。なお、本例において、出力部２２は、画像出力装置２０内に設けられているが、これに限られるものではなく、出力部２２は、画像出力装置２０とは別体として設けられても良い。
【００４１】
以上のように構成される画像出力システム１は、送信装置１０から送信される色信号ＣＯＬＯＲに対して、画像出力装置２０の特性に合わせて色度の変換を行い、該色度の変換を行った出力信号ＣＯＬＯＲ’に従う画像を出力する。画像出力システム１は、色信号ＣＯＬＯＲの評価値ＶＡＬと、評価値ＶＡＬ毎に用意された３×３の行列係数とを使用して、色度の変換を行うため、輝度毎に色相の歪みを補正することができ、また、小容量のメモリによって少ないチップ面積、かつ、低消費電力な回路構成で色相の歪みを補正することができる。
【００４２】
図２は、本発明の一実施形態に係る色信号処理装置の構成の一例を示す図である。同図に示すように、本実施形態に係る色信号処理装置２１は、例えば、逆ガンマ補正部２１１と、評価値算出部２１２と、マトリクス係数記憶部２１３と、マトリクス係数補間演算部２１４と、マトリクス演算部２１５と、オフセット演算部２１６と、ガンマ補正部２１７とを含んで構成される。
【００４３】
逆ガンマ補正部２１１は、送信装置１０から送信される色信号ＣＯＬＯＲに対して、逆ガンマ補正を行い、該逆ガンマ補正を行った信号を色信号ｃｏｌｏｒとして評価値算出部２１２及びマトリクス演算部２１５に出力する。具体的には、逆ガンマ補正部２１１は、送信装置１０から送信される色信号ＣＯＬＯＲの各色の色成分信号Ｒ、Ｇ、Ｂに対して、以下の数式２に従って逆ガンマ補正を行い、各色の色成分信号ｒ、ｇ及びｂを生成する。
【数２】
0006633273.tif 000003
逆ガンマ補正部２１１は、生成した色信号ｃｏｌｏｒ（すなわち、各色の色成分信号ｒ、ｇ及びｂの総称）を評価値算出部２１２及びマトリクス演算部２１５に出力する。
【００４４】
評価値算出部２１２は、逆ガンマ補正部２１１から出力される色信号ｃｏｌｏｒに基づいて、評価値ＶＡＬを算出し、該算出した評価値ＶＡＬをマトリクス係数補間演算部２１４に出力する。評価値ＶＡＬは、例えば、ＨＳＶ色空間又はＨＬＳ色空間における明度や輝度であるが、これに限られず、他の指標に基づく値であっても良く、また、色成分信号から得られる値であれば何であっても良い。
【００４５】
具体的には、評価値ＶＡＬがＨＳＶ色空間の明度である場合、評価値算出部２１２は、逆ガンマ補正部２１１から出力される色信号ｃｏｌｏｒのうち最も色度の大きい信号の色度を評価値ＶＡＬとして算出し、該算出した評価値ＶＡＬをマトリクス係数補間演算部２１４に出力する。他の例として、評価値ＶＡＬがＨＬＳ色空間の明度である場合、評価値算出部２１２は、逆ガンマ補正部２１１から出力される色信号ｃｏｌｏｒのうち最も色度の大きい信号の色度と、最も色度の小さい信号の色度との平均値を評価値ＶＡＬとして算出して、該算出した評価値ＶＡＬをマトリクス係数補間演算部２１４に出力する。さらに他の例として、評価値ＶＡＬが輝度である場合、評価値算出部２１２は、逆ガンマ補正部２１１から出力される色信号ｃｏｌｏｒと、数式１とに基づいて、評価値ＶＡＬを算出し、該算出した評価値ＶＡＬをマトリクス係数補間演算部２１４に出力する。
【００４６】
なお、本例においては、評価値算出部２１２は、逆ガンマ補正部２１１から出力される色信号ｃｏｌｏｒに基づいて、評価値ＶＡＬを算出するが、これに限られるものではない。評価値算出部２１２は、画像出力装置２０が例えばプリンタである場合、送信装置１０から送信される色信号ＣＯＬＯＲに基づいて、評価値ＶＡＬを算出しても良い。
【００４７】
マトリクス係数記憶部２１３は、マトリクス係数補間演算部２１４で使用する３×３の行列係数Ｍを所定の評価値ＶＡＬ毎に記憶し、該行列係数Ｍをマトリクス係数補間演算部２１４に出力する。具体的には、マトリクス係数記憶部２１３は、各評価値ＶＡＬに対応するレジスタｒｅｇ１乃至ｒｅｇｎを有し、該レジスタｒｅｇ１乃至ｒｅｇｎに、マトリクス係数補間演算部２１４で使用する３×３の行列係数Ｍを記憶する。マトリクス係数記憶部２１３に記憶された３×３の行列係数Ｍは、マトリクス係数補間演算部２１４によって読み出される。なお、評価値ＶＡＬがｎである場合の行列係数である行列係数Ｍｎは、例えば、以下の数式３によって示される。
【数３】
0006633273.tif 000004
【００４８】
また、マトリクス係数記憶部２１３は、オフセット演算部２１６で使用する各色の信号に対応するオフセット量Δｒ、Δｇ及びΔｂをレジスタｒｅｇ＿ｏｆｓで記憶する。マトリクス係数記憶部２１３は、該記憶したオフセット量Δｒ、Δｇ及びΔｂをオフセット演算部２１６に出力する。なお、マトリクス係数記憶部２１３は、典型的には、３×３の行列係数Ｍを記憶するが、これに限られるものではない。例えば、色信号ＣＯＬＯＲがＳ個の色成分信号を含む場合、マトリクス係数記憶部２１３は、Ｓ×Ｓの行列係数Ｍを記憶しても良い。また、マトリクス係数記憶部２１３は、典型的には、３個のオフセット量Δｒ、Δｇ及びΔｂを記憶するが、これに限られるものではない。例えば、色信号ＣＯＬＯＲがＳ個の色成分信号を含む場合、マトリクス係数記憶部２１３は、Ｓ個のオフセット量を記憶しても良い。
【００４９】
マトリクス係数補間演算部２１４は、評価値算出部２１２から出力される評価値ＶＡＬと、マトリクス係数記憶部２１３に記憶された行列係数Ｍ１乃至Ｍｎとに基づいて、行列係数Ｎを決定する。具体的には、マトリクス係数補間演算部２１４は、評価値算出部２１２から出力される評価値ＶＡＬに対応する行列係数Ｍがマトリクス係数記憶部２１３に存在するか否かを判断する。マトリクス係数補間演算部２１４は、評価値算出部２１２から出力される評価値ＶＡＬに対応する行列係数Ｍがマトリクス係数記憶部２１３に存在すると判断する場合、該行列係数Ｍを行列係数Ｎとして決定し、該行列係数Ｎをマトリクス演算部２１５に出力する。
【００５０】
一方、マトリクス係数補間演算部２１４は、評価値算出部２１２から出力される評価値ＶＡＬに対応する行列係数Ｍがマトリクス係数記憶部２１３に存在しないと判断する場合、該評価値ＶＡＬに近い値を有するレジスタｒｅｇを複数選択し、該選択したレジスタｒｅｇに記憶されている複数の行列係数Ｍを補間演算することによって、行列係数Ｎを算出する。マトリクス係数補間演算部２１４は、該算出した行列係数Ｎをマトリクス演算部２１５に出力する。なお、行列係数Ｎは、典型的には、線形補間によって算出されるが、これに限られるものではなく、多項式や指数関数や三角関数やこれらの組み合せ等の種々の関数によって算出されても良い。また、行列係数Ｎは、例えば以下の数式４によって示される。
【数４】
0006633273.tif 000005
【００５１】
マトリクス演算部２１５は、逆ガンマ補正部２１１から出力される色信号ｃｏｌｏｒに対して、マトリクス係数補間演算部２１４によって算出された行列係数Ｎを積算し、該積算した結果を色信号ｃｏｌｏｒ’としてオフセット演算部２１６に出力する。具体的には、マトリクス演算部２１５は、逆ガンマ補正部２１１から出力される色信号ｃｏｌｏｒの各色の色成分信号ｒ、ｇ及びｂに対して、以下の数式５に従う演算を行い、各色の色成分信号ｒ’、ｇ’及びｂ’を生成する。
【数５】
0006633273.tif 000006
マトリクス演算部２１５は、生成した色信号ｃｏｌｏｒ’（すなわち各色の色成分信号ｒ’、ｇ’及びｂ’の総称）をオフセット演算部２１６に出力する。
【００５２】
なお、本例においては、マトリクス演算部２１５は、逆ガンマ補正部２１１から出力される色信号ｃｏｌｏｒに対して行列係数Ｎを積算し、該積算した結果を色信号ｃｏｌｏｒ’としてオフセット演算部２１６に出力するが、これに限られるものではない。マトリクス演算部２１５は、画像出力装置２０が例えばプリンタである場合、送信装置１０から送信される色信号ＣＯＬＯＲに対して行列係数Ｎを積算し、該積算した結果を直接出力部２２に出力しても良い。
【００５３】
オフセット演算部２１６は、マトリクス演算部２１５から出力される色信号ｃｏｌｏｒ’に対してマトリクス係数記憶部２１３から読み出されるオフセット量Δｒ、Δｇ及びΔｂを加算し、該加算の結果を色信号ｃｏｌｏｒ’’としてガンマ補正部２１７に出力する。具体的には、オフセット演算部２１６は、マトリクス演算部２１５から出力される色信号の各色の色成分信号ｒ’、ｇ’及びｂ’に対して、以下の数式６に従う演算を行い、各色の色成分信号ｒ’’、ｇ’’及びｂ’’を生成する。
【数６】
0006633273.tif 000007
ただし、Δｒ、Δｇ及びΔｂは、それぞれ赤色、青色及び緑色の信号に対応する所定のオフセット量を示す。オフセット演算部２１６は、生成した色信号ｃｏｌｏｒ’’（すなわち各色の色成分信号ｒ’’、ｇ’’及びｂ’’の総称）をガンマ補正部２１７に出力する。
【００５４】
ガンマ補正部２１７は、オフセット演算部２１６から出力される色信号ｃｏｌｏｒ’’に対してガンマ補正を行い、出力信号ＣＯＬＯＲ’として出力部２２に出力する。具体的には、ガンマ補正部２１７は、オフセット演算部２１６から出力される色信号ｃｏｌｏｒ’’の各色の色成分信号ｒ’’、ｇ’’及びｂ’’に対して、以下の数式７に従う演算を行う。
【数７】
0006633273.tif 000008
ガンマ補正部２１７は、生成した出力信号ＣＯＬＯＲ’（すなわち、各色の色成分信号Ｒ’、Ｇ’及びＢ’の総称）を出力部２２に出力する。
【００５５】
以上のように構成される色信号処理装置２１は、送信装置１０から送信される色信号ＣＯＬＯＲの評価値ＶＡＬに対応する任意の数の３×３の行列係数Ｍを記憶する。色信号処理装置２１は、送信装置１０から送信される色信号ＣＯＬＯＲから評価値ＶＡＬを算出し、該評価値ＶＡＬに対応する行列係数Ｍに基づいて行列係数Ｎを算出する。続いて、色信号処理装置２１は、色信号ＣＯＬＯＲに逆ガンマ補正を行った色信号ｃｏｌｏｒに対して該算出した行列係数Ｎを積算し、該積算の結果に所定のオフセット量を加算し、ガンマ補正を行い出力信号ＣＯＬＯＲ’として出力する。これにより、色信号処理装置２１は、任意の数の３×３の行列係数Ｍ及び所定のオフセット量Δｒ、Δｇ及びΔｂを記憶する小容量のメモリによって、少ないチップ面積、かつ、低消費電力な回路構成で、輝度毎に色相の歪みを補正することができる。
【００５６】
図３は、本発明の一実施形態に係る色信号処理装置におけるオフセット演算部の動作の詳細を示す図である。なお、同図において、画像出力装置２０は、ディスプレイである。同図（ａ）は、出力部２２が理想的な出力特性を有する場合の色信号ｃｏｌｏｒ’’の各色の信号の色度と、出力部２２が出力する光の実際の強さとの関係を示す。同図（ａ）に示すように、出力部２２が理想的な出力特性を有する場合、出力部２２は、色信号ｃｏｌｏｒ’’の色度の強さに比例した強さを有する光を出力する。
【００５７】
同図（ｂ）は、出力部２２が理想的でない出力特性を有する場合の色信号ｃｏｌｏｒ’’の各色の信号の色度と、出力部２２が出力する光の実際の強さとの関係を示す。同図（ｂ）に示すように、出力部２２が理想的でない出力特性を有する場合、出力部２２は、各色の光の強さに色信号ｃｏｌｏｒ’’の各色の信号に応じたオフセットを加えて、該光を出力する。出力部２２が各色の光の強さに加えるオフセットの値は、出力部２２が液晶パネルである場合、輝度漏れの特性に依存する。
【００５８】
同図（ｃ）は、オフセット演算部２１６が各色の信号に加えるオフセットの量を示す図である。同図（ｃ）に示すように、オフセット演算部２１６は、出力部２２の輝度漏れの特性を相殺するように、各色の色成分信号ｒ’、ｇ’及びｂ’にオフセット値Δｒ、Δｇ及びΔｂを加算する。
【００５９】
同図（ｄ）は、オフセット演算部２１６によるオフセット演算を行った後の色信号ｃｏｌｏｒ’’の各色の信号の色度と、出力部２２が出力する光の実際の強さとの関係を示す。同図（ｄ）に示すように、出力部２２は、オフセット演算部２１６によるオフセット演算により、各色の色成分信号ｒ’’、ｇ’’及びｂ’’について同じ出力特性で光を出力する。
【００６０】
図４は、本発明の一実施形態に係る色信号処理装置の動作の一例を示すフローチャートである。同図を参照して、まず、色信号処理装置２１は、送信装置１０から送信される色信号ＣＯＬＯＲに対して逆ガンマ補正を実行して色信号ｃｏｌｏｒを生成する（Ｓ４０１）。
【００６１】
次に、色信号処理装置２１は、該生成した色信号ｃｏｌｏｒの各色の色成分信号に基づいて、評価値ＶＡＬを算出する（Ｓ４０２）。色信号処理装置２１は、該算出した評価値ＶＡＬをマトリクス係数補間演算部２１４に出力する。色信号処理装置２１は、マトリクス係数記憶部２１３に記憶した行列係数Ｍと、評価値算出部２１２で算出した評価値ＶＡＬとに基づいて行列係数Ｎを生成する（Ｓ４０３）。色信号処理装置２１は、該生成した行列係数Ｎをマトリクス演算部２１５に出力する。
【００６２】
色信号処理装置２１は、逆ガンマ補正部２１１で生成した色信号ｃｏｌｏｒに対してマトリクス係数補間演算部２１４によって生成した行列係数Ｎを積算することによって、マトリクス演算を実行する（Ｓ４０４）。色信号処理装置２１は、該演算の結果を色信号ｃｏｌｏｒ’としてオフセット演算部２１６に出力する。
【００６３】
色信号処理装置２１は、該生成した色信号ｃｏｌｏｒ’に対して、マトリクス係数記憶部２１３が記憶するオフセット値Δｒ、Δｇ及びΔｂを加算することによって、オフセット演算を実行する（Ｓ４０５）。色信号処理装置２１は、該演算の結果を色信号ｃｏｌｏｒ’’としてガンマ補正部２１７に出力する。
【００６４】
色信号処理装置２１は、該生成した色信号ｃｏｌｏｒ’’に対してガンマ補正を実行して出力信号ＣＯＬＯＲ’を生成し（Ｓ４０６）、該生成した色信号ＣＯＬＯＲ’を出力部２２に出力する。
【００６５】
上述したように色信号処理装置２１は、送信装置１０から送信される色信号ＣＯＬＯＲの評価値ＶＡＬに対応する任意の数の３×３の行列係数Ｍを記憶する。色信号処理装置２１は、送信装置１０から送信される色信号ＣＯＬＯＲから評価値ＶＡＬを算出し、該評価値ＶＡＬに対応する行列係数Ｍに基づいて行列係数Ｎを算出する。色信号処理装置２１は、色信号ＣＯＬＯＲに逆ガンマ補正をかけた色信号ｃｏｌｏｒに対して該算出した行列係数Ｎを積算し、該積算の結果に所定のオフセット量を加算し、ガンマ補正をかけ色度信号ＣＯＬＯＲ’として出力する。これにより、色信号処理装置２１は、３×３の任意の数の行列係数Ｍ及び所定のオフセット量Δｒ、Δｇ及びΔｂを記憶するのみの小容量のメモリによって、少ないチップ面積、かつ、低消費電力な回路構成で、輝度毎に色相の歪みを補正することができる。
【００６６】
図５は、本発明の一実施形態に係る画像出力システムが出力する光の色相を示すｘｙ色度図である。なお、同図において、画像出力装置２０は、ディスプレイである。同図（ａ）は、本実施形態に係る画像出力システム１による色度の変換を行わない場合に出力部２２が出力する光の色相を示す。同図（ａ）に示すように、本実施形態に係る画像出力システム１によって、色度の変換を行わない場合、出力部２２は、色相を全体的に青色方向に歪めて光を出力する。
【００６７】
同図（ｂ）は本実施形態に係る画像出力システム１による色度の変換を行う場合に出力部２２が出力する光の色相を示す。同図（ｂ）に示すように、本実施形態に係る画像出力システム１によって色度の変換を行う場合、同図（ａ）において青色方向に歪んでいた色相を正常な色相に補正して、光を出力する。
【００６８】
上記各実施形態は、本発明を説明するための例示であり、本発明をこれらの実施形態にのみ限定する趣旨ではない。本発明は、その要旨を逸脱しない限り、さまざまな形態で実施することができる。
【００６９】
例えば、本明細書に開示される方法においては、その結果に矛盾が生じない限り、ステップ、動作又は機能を並行して又は異なる順に実施しても良い。説明されたステップ、動作及び機能は、単なる例として提供されており、ステップ、動作及び機能のうちのいくつかは、発明の要旨を逸脱しない範囲で、省略でき、また、互いに結合させることで一つのものとしてもよく、また、他のステップ、動作又は機能を追加してもよい。
【００７０】
また、本明細書では、さまざまな実施形態が開示されているが、一の実施形態における特定のフィーチャ（技術的事項）を適宜改良しながら、他の実施形態に追加し、又は該他の実施形態における特定のフィーチャと置換することができ、そのような形態も本発明の要旨に含まれる。
【産業上の利用可能性】
【００７１】
本発明は、画像出力装置や画像通信インタフェースを備える機器の分野に広く利用することができる。
【符号の説明】
【００７２】
１…画像出力システム
１０…送信装置
２０…画像出力装置
２１…色信号処理装置
２１１…逆ガンマ補正部
２１２…評価値算出部
２１３…マトリクス係数記憶部
２１４…マトリクス係数補間演算部
２１５…マトリクス演算部
２１６…オフセット演算部
２１７…ガンマ補正部
２２…出力部
【図１】
0006633273.tif 000009
【図２】
0006633273.tif 000010
【図３】
0006633273.tif 000011
【図４】
0006633273.tif 000012
【図５】
0006633273.tif 000013